(57)【要約】【課題】あらゆるデザインアレンジによる省スペースな収納が可能で、雑貨等の小物や植物を用いて美しい装飾が可能であり、植栽に利用する場合には、水やり、植え替えのいずれも簡単に行えるガーデニング用品ともなる収納ユニットを提供する。【解決手段】可とう性を有する略シート状の素材から成る構成シートは、２重以上に重ねて係止された収納中空領域を設け、前記収納中空領域内に、収納受け型中空領域を備え、前記収納受け型中空領域は収納口である第零収納口または第一収納口を備えるかまたは、備えることが可能であり、外側から２番目の構成シートである外二シートに穴又はスリットである、第二収納口を設けられることによって、第二収納口は前記第一収納領域の収納受け型中空領域から下方へ前記収納物（Ｓ１・Ｓ２）を通過させることで長さの異なる前記収納物（Ｓ１・Ｓ２）でも収納できるように収納中空領域と収納位置を自由に調整することを可能とした。【選択図】図１
2020061952.tif 000002
【特許請求の範囲】
【請求項１】
複重多目的収納ユニット（１）の製造方法であって、可とう性を有する略シート状の素材から成る１以上の構成シート（１０）を、２重以上に重ねて係止させて中空領域である 収納中空領域（１１）を設け、
前記重ねられた構成シート（１０）の内、隣り合う２つの構成シート（１０）の間の収納中空領域内に、収納受け型中空領域（１９）を設け、
前記収納受け型中空領域（１９）は、収納物を保持可能な分割係止部（２１）か、または、受け形状に係止（２９）された収納中空領域（１１）であり、
前記収納受け型中空領域（１９）に収納口である第零収納口（３００）または第一収納口（３０１）を備えさせるかまたは、備えさせ、
前記第零収納口（３００）は、前記収納受け型中空領域（１９）の一番外側の構成シート（１０）である外一シート（２０１）の係止されていない部分を備えた上辺が、前記収納中空領域（１１）である第一収納領域の外側への開口部であり、
前記第一収納口（３０１）は、一番外側の構成シート（１０）である外一シート（２０１）の前記収納中空領域（１１）内、または、前記収納受け型中空領域（１９）の範囲内または前記受け型中空領域の開口部の直上部に穴又はスリット（１６）を設けることによる、前記 収納中空領域（１１）の前記外一シート（２０１）の外側への開口部であり、
前記第零収納口（３００）または前記第一収納口（３０１）は収納物（Ｓ１・Ｓ２）を前記収納受け型中空領域（１９）に収納するための収納口として収納可能となり、外側から２番目の構成シート（１０）である外二シート（２０２）に穴又はスリット（１６）である、第二収納口（３０２）を設けることによって、前記背面側の外二シート（２０２）に設けた第二収納口（３０２）は前記第一収納領域の収納受け型中空領域（１９）から下方へ前記収納物（Ｓ１・Ｓ２）を通過させることで長さの異なる前記収納物（Ｓ１・Ｓ２）でも収納できるように 収納中空領域（１１）と収納位置を自由に調整することが可能であることを特徴とする複重多目的収納ユニット（１）の製造方法。
【請求項２】
可とう性を有する略シート状の素材から成る１以上の構成シート（１０）によって構成され、前記構成シート（１０）は、２重以上に重ねて係止されて形成された中空領域である 収納中空領域（１１）を設け、
前記重ねられた構成シート（１０）の内、隣り合う２つの構成シート（１０）の間の収納中空領域内に、収納受け型中空領域（１９）を備え、
前記収納受け型中空領域（１９）は、収納物を保持可能な分割係止部（２１）を備えるか、または、受け形状に係止（２９）された収納中空領域（１１）であり、
前記収納受け型中空領域（１９）は収納口である第零収納口（３００）または第一収納口（３０１）を備えるかまたは、備えることが可能であり、
前記第零収納口（３００）は、前記収納受け型中空領域（１９）の一番外側の構成シート（１０）である外一シート（２０１）の係止されていない部分を備えた上辺が、前記収納中空領域（１１）である第一収納領域の外側への開口部であり、
前記第一収納口（３０１）は、一番外側の構成シート（１０）である外一シート（２０１）の前記収納中空領域（１１）内、または、前記収納受け型中空領域（１９）の範囲内または前記受け型中空領域の開口部の直上部に穴又はスリット（１６）を設けることによる、前記 収納中空領域（１１）の前記外一シート（２０１）の外側への開口部であり、
前記第零収納口（３００）または前記第一収納口（３０１）は収納物（Ｓ１・Ｓ２）を前記収納受け型中空領域（１９）に収納するための収納口として収納可能となり、外側から２番目の構成シート（１０）である外二シート（２０２）に穴又はスリット（１６）である、第二収納口（３０２）を設けられることによって、前記背面側の外二シート（２０２）に設けられた第二収納口（３０２）は前記第一収納領域の収納受け型中空領域（１９）から下方へ前記収納物（Ｓ１・Ｓ２）を通過させることで長さの異なる前記収納物（Ｓ１・Ｓ２）でも収納できるように 収納中空領域（１１）と収納位置を自由に調整することが可能であることを特徴とする複重多目的収納ユニット（１）。
【請求項３】
収納口が、開口可能形状部（１８）を開口することによって形成され、前記開口可能形状部（１８）にて、自由にスリットまたは穴を開口可能である開口可能形状部（１８）を備えたことを特徴とする請求項２に記載の複重多目的収納ユニット（１）。
【請求項４】
前記第一収納口（３０１）あるいは第二収納口（３０２）が、開口状態で設けられていることを特徴とする請求項２に記載の複重多目的収納ユニット（１）。
【請求項５】
複数の前記構成シート（１０）の一方の端辺と他方の端辺を係止することで収納中空領域を設けたことを特徴とする請求項２から請求項４のいずれかに記載の複重多目的収納ユニット（１）。
【請求項６】
前記複重多目的収納ユニット（１）が、支持留め部（３１）を介して基台支持ユニット（１０３）に設けられ、前記複重多目的収納ユニット（１）と基台支持ユニットとの間の中空領域が収納中空領域であることを特徴とする請求項２から請求項４のいずれかに記載の複重多目的収納ユニット（１）。
【請求項７】
前記係止部（２０）あるいは分割係止部（２１）あるいは支持留め部（３１）が、着脱可能に係止することにより、前記収納中空領域を設けることを特徴とする請求項６に記載の複重多目的収納ユニット（１）。
【請求項８】
前記構成シート（１０）から構成された前記複重多目的収納ユニット（１）が、背面の形状を覆う基台シート（３０）を備えたことを特徴とする請求項２から請求項４のいずれかに記載の複重多目的収納ユニット（１）。
【請求項９】
前記複重多目的収納ユニット（１）が、構成シート（１０）または基台シート（３０）で２重以上に重複して構成されていることを特徴とする請求項２から請求項８のいずれかに記載の複重多目的収納ユニット（１）。
【請求項１０】
前記複重多目的収納ユニット（１）が、複数の収納中空領域、つまり、第一収納領域（４０１）、第二収納領域（４０２）、第三収納領域（４０３）、あるいは、それ以上の 収納中空領域（１１）にて構成される前記複重多目的収納ユニット（１）において、２以上の 収納中空領域（１１）が、係止されて複数の区画を設けることによって、長さの違う収納物（Ｓ１・Ｓ２）を長さに合わせた１以上の 収納中空領域（１１）に挿通させて収納可能であることを特徴とする請求項２から請求項９のいずれかに記載の複重多目的収納ユニット（１）。
【請求項１１】
前記前面から多重に設けられた構成シート（１０）が、前面から、それぞれ違う色の半透明の構成シート（１０）または、網状であることによって、前面から、収納物（Ｓ１・Ｓ２）が収納されている 収納中空領域（１１）が目視可能であることを特徴とする請求項１０に記載の複重多目的収納ユニット（１）。
【請求項１２】
前記複重多目的収納ユニット（１）が、表側からも裏側からも収納可能な前記第零収納口（３００）または第一収納口（３０１）を備えていることを特徴とする請求項２から請求項１１のいずれかに記載の複重多目的収納ユニット（１）。
【請求項１３】
前記分割係止部（２１）に水抜きのための係止しない部分である水抜き穴（１７）を設けたことを特徴とする請求項２から請求項１２の何れかに記載の複重多目的収納ユニット（１）。
【請求項１４】
前記多目的収納ユニットは、前記収納物（Ｓ２）が植物であって、前記前面側の開放部（１２）から前記中空領域（１１）を通過して背面側の開放部（１３）から前記第二の中空領域（１４）へと前記植物の根（３６）を挿入し、前記第二の中空領域（１４）に充填した植物培養基材（３４）内において前記植物が前記根（３６）を広げることを可能とした植栽容器であることを特徴とする請求項２から請求項１３のいずれかに記載の複重多目的収納ユニット（１）。
【請求項１５】
前記複重多目的収納ユニット（１）が、開閉可能なカーテン（９９）またはブラインド（９８）または目隠しであることを特徴とする請求項２から請求項１４のいずれかに記載の複重多目的収納ユニット（１）。
【請求項１６】
前記複重多目的収納ユニット（１）が、スライド移動可能なレール（９１）に設けられ、略鉛直方向に 収納中空領域（１１）の無い１以上の曲折または回動可能な回動可能部（９０）を備え、係る回動可能部（９０）にて
回動または曲折されることによって、スライドして開閉可能なカーテン（９９）または目隠しであることを特徴とする請求項２から請求項１５のいずれかに記載の複重多目的収納ユニット（１）。
【請求項１７】
前記複重多目的収納ユニット（１）が、略水平方向に回動可能に連結される回動連結部（９２）を備え、前記回動連結部（９２）にて回動、曲折されることによって、スライドして開閉可能なカーテン（９９）または目隠しであることを特徴とする請求項２から請求項１６のいずれかに記載の複重多目的収納ユニット（１）。
【請求項１８】
前記複重多目的収納ユニット（１）が、収納中空領域内に、水受けを備えたことを特徴とする請求項２から請求項１７のいずれかに記載の複重多目的収納ユニット（１）。
【発明の詳細な説明】
【技術分野】
【０００１】
本発明は、主として植物の育成及び緑化、並びに小物の整理に資する収納具に関し、詳しくは配置領域と配置位置を自由に調整することによって、沢山の植物や雑貨等を用い、これらの配置を自由にレイアウトすることで斬新な装飾が可能であり、且つ、美的緑化の促進や作業効率向上に資する装飾自在な収納器具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、収納スペースの領域や配置場所の形状に合わせ、更には収納位置をアレンジできる収納具は皆無といえる。
【０００３】
また、植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００４】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にショーウィンドウなどの装飾などでは個性溢れるお洒落な植物を用いた装飾を容易に施す技術が求められているといえる。
【０００５】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、挿入口が固定されているため装飾が自由自在とはいえず、前記問題の解決には至っていない。
【０００６】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、スペース確保の問題や装飾した個体を集合させているにすぎず、発明品本体による自由自在な装飾とは言えないため、前記問題の解決には至っていない。
【０００７】
なお、本発明者は、発明の名称を「筒状緑化ユニット」とする技術で特許を受けている。（特許文献３参照）具体的には「少なくとも１以上のケース部材からなり、前記ケース部材は、略長方形であり、幅方向に曲げ可能であり、長手方向に沿った両辺にファスナーのエレメントを持ち、前記エレメントをファスナーのスライダで結合することで前記ケース部材を中空の中空体とし、前記中空体の内部には植物培養基材が投入され、前記スライダは１つのファスナー構造に対して２つ以上設置されており、前記スライダの位置を調整することで、前記ファスナーの一部を開口部とし、前記開口部から前記植物培養基材に対して植物を植付け可能」というものである。しかしながら、複数のファスナースライダーを使用することから、製造上のコストと手間がかかるという問題が残されているといえ、よりシンプルな部材、構造を開発するといった課題も追及すべきといえる。
【先行技術文献】
【特許文献】
【０００８】
【特許文献１】特開２００１−１８６８１６号
【特許文献２】特開２０００−０４１８１４号
【特許文献３】特許第５４９５１９８号
【発明の概要】
【発明が解決しようとする課題】
【０００９】
あらゆるデザインアレンジによる、雑貨等の小物や植物を用いて美しい装飾が可能であり、植栽に利用する場合には、水やり、植え替えのいずれも簡単に行えるガーデニング用品ともなる収納ユニットを提供する。
【課題を解決するための手段】
【００１０】
本発明にかかる複重多目的収納ユニット（１）の製造方法は、可とう性を有する略シート状の素材から成る１以上の構成シート（１０）を、２重以上に重ねて係止させて中空領域である 収納中空領域（１１）を設け、
前記重ねられた構成シート（１０）の内、隣り合う２つの構成シート（１０）の間の収納中空領域内に、収納受け型中空領域（１９）を設け、
前記収納受け型中空領域（１９）は、収納物を保持可能な分割係止部（２１）か、または、受け形状に係止（２９）された収納中空領域（１１）であり、
前記収納受け型中空領域（１９）に収納口である第零収納口（３００）または第一収納口（３０１）を備えさせるかまたは、備えさせ、
前記第零収納口（３００）は、前記収納受け型中空領域（１９）の一番外側の構成シート（１０）である外一シート（２０１）の係止されていない部分を備えた上辺が、前記収納中空領域（１１）である第一収納領域の外側への開口部であり、
前記第一収納口（３０１）は、一番外側の構成シート（１０）である外一シート（２０１）の前記収納中空領域（１１）内、または、前記収納受け型中空領域（１９）の範囲内または前記受け型中空領域の開口部の直上部に穴又はスリット（１６）を設けることによる、前記 収納中空領域（１１）の前記外一シート（２０１）の外側への開口部であり、
前記第零収納口（３００）または前記第一収納口（３０１）は収納物（Ｓ１・Ｓ２）を前記収納受け型中空領域（１９）に収納するための収納口として収納可能となり、外側から２番目の構成シート（１０）である外二シート（２０２）に穴又はスリット（１６）である、第二収納口（３０２）を設けることによって、前記背面側の外二シート（２０２）に設けた第二収納口（３０２）は前記第一収納領域の収納受け型中空領域（１９）から下方へ前記収納物（Ｓ１・Ｓ２）を通過させることで長さの異なる前記収納物（Ｓ１・Ｓ２）でも収納できるように 収納中空領域（１１）と収納位置を自由に調整することが可能であるという手段を採用する。
【００１１】
本発明に係る複重多目的収納ユニットは、
可とう性を有する略シート状の素材から成る１以上の構成シートによって構成され、前記構成シートは、２重以上に重ねて係止されて形成された中空領域である 収納中空領域を設け、
前記重ねられた構成シートの内、隣り合う２つの構成シートの間の収納中空領域内に、収納受け型中空領域を備え、
前記収納受け型中空領域は、収納物を保持可能な分割係止部を備えるか、または、受け形状に係止された収納中空領域であり、
前記収納受け型中空領域は収納口である第零収納口または第一収納口を備えるかまたは、備えることが可能であり、 
前記第零収納口は、前記収納受け型中空領域の一番外側の構成シートである外一シートの係止されていない部分を備えた上辺が、前記収納中空領域である第一収納領域の外側への開口部であり、
前記第一収納口は、一番外側の構成シートである外一シートの前記収納中空領域内、または、前記収納受け型中空領域の範囲内または前記受け型中空領域の開口部の直上部に穴又はスリットを設けることによる、前記 収納中空領域の前記外一シートの外側への開口部であり、
前記第零収納口または前記第一収納口は収納物を前記収納受け型中空領域に収納するための収納口として収納可能となり、外側から２番目の構成シートである外二シートに穴又はスリットである、第二収納口を設けられることによって、前記背面側の外二シートに設けられた第二収納口は前記第一収納領域の収納受け型中空領域から下方へ前記収納物を通過させることで長さの異なる前記収納物でも収納できるように 収納中空領域と収納位置を自由に調整することが可能である構成を採用する。
【００１２】
また、本発明は、収納口が、開口可能形状部を開口することによって形成され、前記開口可能形状部にて、自由にスリットまたは穴を開口可能である開口可能形状部を備えた
構成を採用することもできる。
【００１３】
また、本発明は、前記第一収納口あるいは第二収納口が、開口状態で設けられている構成を採用することもできる。
【００１４】
また、本発明は、複数の前記構成シート（１０）の一方の端辺と他方の端辺を係止することで収納中空領域を設けた構成を採用することもできる。
【００１５】
また、本発明は、前記複重多目的収納ユニットが、支持留め部を介して基台支持ユニット４０に設けられ、前記複重多目的収納ユニットと基台支持ユニットとの間の中空領域が収納中空領域である構成を採用することもできる。
【００１６】
また、本発明は、前記係止部（２０）あるいは分割係止部（２１）あるいは支持留め部が、着脱可能に係止することにより、前記収納中空領域を設ける構成を採用することもできる。
【００１７】
また、本発明は、前記構成シート（１０）から構成される複重多目的収納ユニット（１）の背面の形状を覆う基台シート（３０）を備えた
構成を採用することもできる。
【００１８】
また、本発明は、前記複重多目的収納ユニットが、構成シートまたは基台シートで２重以上に重複して構成されている構成を採用することもできる。
【００１９】
また、本発明は、前記複重多目的収納ユニットが、複数の収納中空領域、つまり、第一収納領域、第二収納領域、第三収納領域、あるいは、それ以上の収納中空領域にて構成される前記複重多目的収納ユニットにおいて、２以上の収納中空領域が、係止されて複数の区画を設ける構成を採用することもできる。
【００２０】
また、本発明は、前記前面から多重に設けられた構成シートが、前面から、それぞれ違う色の半透明の構成シートまたは、網状である
構成を採用することもできる。
【００２１】
また、本発明は、前記複重多目的収納ユニットが、表側からも裏側からも収納可能な前記第零収納口または第一収納口を備えている
構成を採用することもできる。
【００２２】
また、本発明は、前記分割係止部（２１）に水抜きのための係止しない部分である水抜き穴を設けた構成を採用することもできる。
【００２３】
また、本発明は、前記多目的収納ユニットは、前記収納物（Ｓ２）が植物であって、前記前面側の開放部（１２）から前記中空領域（１１）を通過して背面側の開放部（１３）から前記第二の中空領域（１４）へと前記植物の根を挿入し、前記第二の中空領域（１４）に充填した植物培養基材内において前記植物が前記根を広げることを可能とした植栽容器である構成を採用することもできる。
【００２４】
また、本発明は、前記複重多目的収納ユニットが、開閉可能なカーテンまたはブラインドまたは目隠しである構成を採用することもできる。
【００２５】
また、本発明は、 前記、複重多目的収納ユニットが、スライド移動可能なレールに設けられ、略鉛直方向に収納中空領域の無い１以上の曲折または回動可能な回動可能部を備え、係る回動可能部にて回動または曲折されることによって、スライドして開閉可能なカーテンまたは目隠しである構成を採用することもできる。
【００２６】
また、本発明は、前記、複重多目的収納ユニットが、略水平方向に回動可能に連結される回動連結部を備え、前記回動連結部にて回動、曲折されることによって、スライドして開閉可能なカーテンまたは目隠しである構成を採用することもできる。
【００２７】
また、本発明は、複重多目的収納ユニットが、収納中空領域内に、水受けを備えた構成を採用することもできる。
【発明の効果】
【００２８】
本発明に係る複重多目的収納ユニットによれば、屋内、屋外を問わず、比較的狭い設置領域においても多種多様な植物を同時に栽培でき、潅水容易で、上の植物への潅水が、下の植物でも有効に使われる節水効果があり、一時的な移動や設置も可能であることから、育苗や園芸における作業負担の軽減や作業の効率化を図れるという優れた効果を発揮する。
【００２９】
本発明に係る複重多目的収納ユニットによれば、沢山の開口部を構成することができ、柱や壁の形状に対応して装着できるので、例えば工場内において作業者が取りやすい位置に存在する壁や柱を利用して工具を収納するための収納ユニットとして利用するなど、場所や環境に対する制限が極めて少なく、あらゆる場所において自由な装飾が可能となるという優れた効果を発揮するものである。例えば吊り下げて使用してもよいし、筒状や、アーチ状等立体的な形状でもよく、ポケットの配置も様々な配置とすることが可能なため、今までにない斬新かつ洗練された植物アレンジが可能であるという優れた効果を発揮する。
【００３０】
本発明に係る複重多目的収納ユニットによれば、沢山のポケット状の植栽部根部の収容部が繋がっているため、上部から一度の水やりにより全体に水を供給することも可能となるという優れた効果を発揮する。
【００３１】
本発明に係る複重多目的収納ユニットによれば、花の交換の際、取り除く必要のない植物を移動することなく、別のポケットに違う種類の植物を装飾することも可能であり、また種や球根から育てたり、宿根草や多年草など季節が巡ってまた咲くものをそのままにしながら別のポケットの一年草は交換できるという優れた効果を発揮する。
【００３２】
本発明に係る複重多目的収納ユニットによれば、構成部材が極めて少なく、またシンプルな構成で製作が容易でコストがかからないといった優れた効果を発揮する。
【００３３】
本発明に係る複重多目的収納ユニットによれば、地面に接触させずに空中に吊るす構成として利用することにより、汚染された土壌や水害の影響を受けることなく、単位面積当たりの収穫量を向上させることができるという優れた効果を発揮する。
【図面の簡単な説明】
【００３４】
【図１】本発明に係る複重多目的収納ユニットの基本構成説明図である。
【図２】本発明に係る複重多目的収納ユニットの本構成説明図である。
【図３】本発明に係る複重多目的収納ユニットに植栽した構成説明図である。
【図４】本発明に係る複重多目的収納ユニットに植栽した構成説明図である。
【図５】本発明に係る複重多目的収納ユニットの構成シートが様々な多重に設けられた構成と、長さの違う収納物を収納した構成の説明図である。
【図６】本発明に係る複重多目的収納ユニットの分割係止部が、断続的な破線状である構成の例の説明図である。
【図７】本発明に係る複重多目的収納ユニットの構成シートの互いの両端を、互いに係止する構成説明図である。
【図８】本発明に係る複重多目的収納ユニットにおいて基台支持ユニットを構成する構成説明図である。
【図９】本発明に係る複重多目的収納ユニットが、開閉可能なカーテンまたは仕切りである構成説明図である。
【図１０】本発明に係る複重多目的収納ユニットがブラインドである構成説明図である。
【発明を実施するための形態】
【００３５】
本発明に係る複重多目的収納ユニットは、
可とう性を有する略シート状の素材から成る１以上の構成シート１０によって構成され、前記構成シート１０は、２重以上に重ねて係止されて形成された中空領域である 収納中空領域１１を設け、
開口する開口部に雑貨等の物品や植物を植栽するバリエーションを自由にするため、
前記重ねられた構成シート１０の内、隣り合う２つの構成シート１０の間の収納中空領域内に、収納受け型中空領域１９を備え、
前記収納受け型中空領域１９は、収納物を保持可能な分割係止部２１を備えるか、または、受け形状に係止２９された収納中空領域１１であり、
前記収納受け型中空領域１９は収納口である第零収納口３００または第一収納口３０１を備えるかまたは、備えることが可能であり
前記第零収納口３００は、前記収納受け型中空領域１９の一番外側の構成シート１０である外一シート（２０１）の係止されていない部分を備えた上辺が、前記収納中空領域１１である第一収納領域の外側への開口部であり、
前記第一収納口３０１は、一番外側の構成シート１０である外一シート（２０１）の前記収納中空領域１１内、または、前記収納受け型中空領域１９の範囲内または前記受け型中空領域の開口部の直上部に穴又はスリット１６を設けることによる、前記 収納中空領域１１の前記外一シート（２０１）の外側への開口部であり、
前記第零収納口３００または前記第一収納口３０１は収納物（Ｓ１・Ｓ２）を前記収納受け型中空領域１９に収納するための収納口として収納可能となり、外側から２番目の構成シート１０である外二シート２０２に穴又はスリット１６である、第二収納口３０２を設けられることによって、前記背面側の外二シート２０２に設けられた第二収納口３０２は前記第一収納領域の収納受け型中空領域１９から下方へ前記収納物（Ｓ１・Ｓ２）を通過させることで長さの異なる前記収納物（Ｓ１・Ｓ２）でも収納できるように 収納中空領域１１と収納位置を自由に調整することを第一の大きな特徴とするものである。
【００３６】
また、三枚以上の構成シート１０によって構成される場合においては、３枚目から順番に、外三シート２０３、外四シート２０４、また、それぞれの収納口には、第三収納口３０３、第四収納口３０４と構成するシートの枚数に応じて、それぞれ必要に応じて、収納口を設けられるものである。
また、外一シート２０１と外二シート２０２に挟まれた収納中空領域１１を、第一収納領域４０１、外二シート２０２と外三シート２０３に挟まれた収納中空領域１１を、第二収納領域４０２とし、外四シート２０４、外五シートとそれぞれ、枚数に応じて、第三収納領域４０３、第四収納領域４０４と順に呼ぶこととする。
尚、植物を植栽する際には、係る外二シート２０２の背面側に、もう一つの収納中空領域１１を設け、係る収納中空領域１１に入れられた培養基材３４に係る第二収納口３０２から根３６を広げて大きく植物が成長することが可能であり、また、上の植物への潅水が、下の植物にも回り、水を有効に使用できることを、第二の大きな特徴とするものである。
【００３７】
以下、図面に基づいて本発明に係る複重多目的収納ユニット１について説明する。
但し、図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能であるものとする。
なお、図面の説明において上下左右は、図面に表された複重多目的収納ユニット１の上下左右方向と同じである。
また、外一シート２０１は、前面図においては、一番正面の外側に配置される目視可能な構成シート１０であり、また、側面からの図においては、一番左側の構成シート１０である。
背面は、前記構成シート１０の前記外面、外側の面の反対側の面である。
【００３８】
図１は、複重多目的収納ユニット１の1つの基本構成を示し、穴又はスリット１６を設けられた、あるいは、設けられることが可能である重複した構成シート１０の構成を示しており、それぞれの外一シート２０１と外二シート２０２の間に設けられた収納中空領域１１の収納口が、第零収納口３００である構成を示しており、それぞれの収納中空領域１１における外二シート２０２側には、穴又はスリット１６である第二収納口３０２を設けることが可能な構成の例である。
【００３９】
また、係る構成シート１０の背面である内面側には、基台シート３０が設けられており、係る２つのシートによって挟まれた中空領域である収納中空領域１１が設けられており、例えば、植物を植栽するにあたっては、係る収納中空領域１１に、培養基材３４を収容可能な構成となっており、係る収納中空領域１１の下部には、係止していない部分から水を抜く、水抜き穴１７が設けられている。尚、係る水抜き穴１７は、収納する収容物によって、無い構成としても良い。
尚、係る基台シート３０は、同様に係る穴又はスリット１６または、開口可能形状部１８を設けられた構成シート１０としても良い。
【００４０】
係る構成によって、例えば、構成シート１０と外一シート２０１のみでポケット状の収納中空領域１１のみに 植物Ｓを植栽する場合は、根３６を張るスペースが限られ、根３６腐れの可能性も大きく、 植物Ｓの生育上、好ましくなく、植栽可能な植物や野菜の種類も限られ、また、係る構成シート１０に、穴のみを設ける構成においては、大きな穴を設けると、係る穴から土の流出がある為、設ける穴の大きさが限られ、また、故に、植栽する苗の根３６鉢の大きさも限られ、植栽するのが大変であり、特に、植え替えでは、手間のかかる構成であったし、また、種から 植物Ｓを育てることには困難が、あったが、そうした問題点を改善し、有用である。
【００４１】
また、係る穴又はスリット１６を開口可能な構成とすることによって、例えば、培養基材３４を係る複重多目的収納ユニット１に封入した状態で流通、運搬し使用することもことも可能となり、使用する段階で、係る穴又はスリット１６を設ける構成としても良く、係る構成とすることによって、運搬中に土がこぼれる心配が無い、植栽する時に、側面から植栽可能な培養基材３４の袋とすることも可能であり、有用である。
また、係る穴又はスリット１６を設けることが可能な部分に、係る穴又はスリット１６形状に、カットミシン目や、薄肉状の開口可能形状部１８である構成としても良い。
【００４２】
尚、ここでいう開口可能な構成は、ナイフやハサミで容易にカット可能なビニールやターポリンや生地を素材として用いた構成である。
また、係る開口可能形状部１８は、その他、係る穴又はスリット１６部に、粘着テープを貼られ、係る粘着テープをはがせば開口するような構成としても良く、周辺の部位と比べて開口し易い形状構成であればよく、その他、本発明の技術的思想の範囲内、即ち、同一の作用効果を発揮できる形状及び寸法の範囲内で変更することができるものである。
【００４３】
尚、図１（ａ）は、係る構成の前面図、図１（ｂ）は、係る構成の側方からの部分断面図である。
図１（ａ）は、構成シート１０に、各種穴又はスリット１６と外一シート２０１である、構成シート１０が設けられており、高さ方向に、４段に、各種穴又はスリット１６あるいは、開口可能である構成、あるいは、開口可能形状部１８を備えた構成であり、また、係る構成シート１０の両端と底部を基台シート３０と対面して係止して設けられた構成の例である。
【００４４】
尚、本図以降において、九十九折り線で示した部分が、係止部２０であり、構成シート１０あるいは外一シート２０１の係止部分を示しており、係る係止部２０は、縫製や接着、融着等によって係止されるものであり、その数や長さについては特に限定するものではなく、また、着脱可能に係止しても良い。
尚、丸点線で示した部分は、開口可能形状部１８の隠れ線を示しており、また、二点鎖線は、目視可能な開口可能形状部１８を示している。
【００４５】
一番上の段には、４つの外一シート２０１が設けられて、その内側に収納中空領域１１を備えており、それぞれの収納中空領域１１は外二シート２０２が開口可能で、あるいは、開口可能形状部１８を備えている構成であり、それぞれの外一シート２０１が略垂直方向に係止されて設けられた１つの収納中空領域１１を１区画とし、左3つの区画には、円状と楕円状の開口可能部が外二シート２０２に設けられており、左の穴は縦方向の楕円で、右から２番目は横の楕円で、それぞれは係る収納中空領域１１内の下側に係る穴の底部が位置する様に設けられている構成の例であり、一番右の収納中空領域１１は、ナイフやハサミで外二シート２０２に開口可能な構成の例である。また、係る穴の両サイドに設けられた係止部２０が、係る開口可能部による穴の横に設けられることによって、係る穴において低下する構成シート１０の強度の補強もしている。
【００４６】
上から２段目の段には、それぞれ、４つのパターンの開口可能形状部１８が設けられており、両端の区画の開口可能形状部１８はそれぞれ、コの字を横にした形状に開口可能形状部１８を設けられており、左端の区画の開口可能形状部１８はコの字形を横にした略Ｕの字形の方向に開口可能形状部１８が設けられており、右端の区画の開口可能形状部１８は、略逆Ｕ字状の方向に開口可能形状部１８が設けられた構成の例であり、また、真ん中の左側の区画は山の字形、右側の区画は、王の字を横にした形状に開口可能形状部１８が設けられている構成の例である。
【００４７】
また、下の２つの段は、それぞれ、外一シート２０１が１枚にて設けられた構成の例であり、それぞれ、２つの場所で鉛直方向に係止されて３つの区画に仕切られている構成の例である。
下から２段目の穴又は開口可能形状部１８は、左の区画から、網状の穴１６、真ん中の区画が多数の丸穴１６が設けられた構成、右の区画が４つの米形の開口可能形状部１８の構成であり、また、係る米形の前部を覆う外一シート２０１の下側の係止部２０は、部分的に開口した、水抜き穴１７を設けた構成となっている。収納物が植物の場合、係る水抜き穴１７を設けることによって、係る収納中空領域１１の下に設けられた収納中空領域１１に、上側の収納中空領域１１で余った水を供給することが可能となり、有用である。
【００４８】
また、一番下の段の係る開口可能形状部１８は、それぞれスリットとなる構成であり、左の区画から、略逆Ｕ字状の方向に開口可能形状部１８が設けられた構成で、真ん中の区画が複数の横一文字のスリットの開口可能形状部１８、右の区画が１本の横一文字のスリットの開口可能形状部１８が、係る外一シート２０１の下部付近に設けられた構成である。
尚、係る穴又は開口可能形状部１８の形状、位置については、その他、限定せず、本発明の技術的思想の範囲内、即ち、同一の作用効果を発揮できる形状及び寸法の範囲内で変更することができるものである。
【００４９】
尚、図１（ａ）における、上から３段目の左２つの区画及び、上から４段目の真ん中及び右の区画は、穴又はスリット１６が開口した際に大きくない開口可能形状部１８が多段に設けられているか、一文字の開口可能形状部１８の構成となっており、その他の多くの穴又は開口可能形状部１８が、大きく開口する構成であるのに対して、大きく開口し難い構成となっており、収納中空領域１１の培養基材３４が、収納中空領域１１内に比較的流入し難い構成となっており、収納中空領域１１内の培養基材３４が、減ってしまい、また、収納中空領域１１内の培養基材３４が、増えてしまい、つまり、培養基材３４による収納中空領域１１内の底部付近の重量圧力が、上がってしまう懸念を防止する効果があり、有用である。また、係る小さい穴や一文字の開口可能形状部１８が高さを持たせて複数設けられることによって、植栽植物の根３６が収納中空領域１１内に入り込む面積も、多く確保することができ、有用である。
【００５０】
構成シート１０は、例えばテント生地やメッシュ生地等の布状部材を用い、素材は丈夫で可とう性を有し、必要に応じて変形可能であるとともに、収納物（Ｓ１・Ｓ２）の重量に耐えるための強度を有した素材を用いることが望ましい。構成シート１０寸法や形状については特に限定するものではない。
【００５１】
図１（ｂ）の側面からの断面図は、図１（ａ）の構成において、収納中空領域１１内の外二シート２０２に穴又はスリット１６を設けることが可能な開口可能形状部１８が設けられており、係る開口可能形状部１８が、ミシン目である構成を示している構成であり、図１（ｂ）は、係る開口可能部を、ナイフ等でカットして設ける構成であり、係る構成により、穴又はスリット１６を、自由な位置に設けることが可能な構成となっている。
【００５２】
また、図１（ｄ）は、図１（ａ）の構成において、外一シート２０１と外二シート２０２のみにて構成された複重多目的収納ユニット１の構成の例であり、図６に示される様に、長さの違う収納物（Ｓ１・Ｓ２）を、前面側の収納口である第一収納口３０１から挿入し、外二シート２０２に設けられた第二収納口３０２から、下方に挿通させることが可能な構成であり、長さの違う収納物（Ｓ１・Ｓ２）を収納可能な構成であり、有用である。
【００５３】
また、図１（ａ）の構成においては、構成シート１０の背面に設けた基台シート３０と、側方と下方部で係止された構成であるが、例えば、係る基台シート３０と同サイズの構成シート１０を図１（ａ）の図の構成の下に余らせて、図１（ａ）で係止している構成シート１０の下側で背面側に折って、同様に両端を係止する構成としても良い。
【００５４】
係る複重多目的収納ユニット１は、壁などに吊設して、壁面の緑花としても良いし、地面に載置しても良いし、また、観賞用の植物を植栽しても良いし、野菜を植栽しても良い。
特に、野菜の栽培については、マンション等のベランダなどの狭いスペースでも、縦方向の面を有効に活用して栽培でき、また、壁などに複数設けることによって、壁への直射日光を防ぎ、壁からの輻射熱の低減、つまり、電気代の節減、省エネにもつながり、また、最近多い洪水等の災害の際にも、高い位置で栽培可能で、安定的に野菜を供給することが可能となり、有用である。
また、外一シート２０１は、複数の穴を覆う構成としても良く、例えば、係る構成シート１０の略全面に渡るような構成とすることも可能である。
【００５５】
また、基台シート３０または外一シート２０１は、構成シート１０と同じ素材を用いてもよいし、曲げた状態を保持するような塑性特性や、元の状態に戻る弾性特性を備えた材料等を用いることが考え得る。係る特性を有することにより、例えば、全体の両側端部を係止することによって得られるリング状収納型又は両面収納型等の利用体型に合わせて選択し、壁や柱などに設置する場合の基台としての機能を十分に発揮できる形状、大きさ、厚みとする。
また、基台シート３０は、構成シート１０によって覆われる全体の形状の背面に対応する大きさで、又はそれを超える大きさの構成シート１０と同様の布状素材からなる基台である。なお、構成シート１０及び基台シート３０及び外一シート２０１の素材は、樹脂製のフィルムやシートなどの水密性を備えたものを選択することが望ましいが、屋外の使用等使用条件によってはその限りではなく、麻布のような自然な素材が望ましい場合もあり、例えば、イベントやワンシーズン等、短期使用の想定においては、耐候性を考慮しない素材でも良い。
また、構成シート１０及び基台シート３０は、その形状または位置を保持する、支持材１０２に設けられていても良い。
【００５６】
尚、水抜き穴１７は、具体的に部材等に穴を開けるのではなく、構成シート１０と他の構成シート１０若しくは構成シート１０と基台シート３０の係止部２０の横方向に横架する係止部２０において、左右の系止部２０の間に係止しない部分を設けることによって形成される、水抜き用の開口部である。  また、支持材１０２の材質は、木や、アルミニウム、鉄等の金属、ポリプロピレン、ポリアミド等の樹脂、生地、石、陶磁器、カーボン、布状、網状等、その他本発明の範囲内でその種類を限定せず、必要な強度を満足可能な材質が望ましく、同様に、支持材１０２の形状についても、円柱、多角柱、筒状、鎖状、紐状、布状でも、その他本発明の範囲内でその種類を限定しない。
【００５７】
また、支持材１０２が設けられる位置についても、本図においては、収納中空領域１１の内側に設けているが、構成シート１０の外側に設けても良いし、収納中空領域１１も挿通する構成としても良く、その他本発明の範囲内でその位置、支持手段を限定しない。
【００５８】
本発明の本構成においては、構成シートの側面に、穴が設けられただけのタイプでは植えることが困難な、種子や球根も植えることが可能であり、有用である。
【００５９】
図２の構成は、外二シート２０２の略全面を覆う様に設けられた構成の例であり、図１の構成の例においては、小さい外一シート２０１が第一収納領域４０１を構成し、収納口が第零収納口３００であるのに対して、略全面を覆う様に設けられた外一シート２０１及び外二シート２０２に、穴又はスリット１６を備えるか、穴又はスリット１６を設けることが可能な構成となっている。
【００６０】
図２（ａ）の構成は、係る構成シート１０の背面である内面側には、構成シート１０または基台シート３０が設けられており、係る２つのシートによって挟まれた中空領域である収納中空領域１１が設けられており、例えば、植物を植栽する場合においては、係る収納中空領域１１に、培養基材３４を収容可能な構成となっている。
係る構成によって、図１の構成同様の問題点を改善し、有用である。
【００６１】
尚、図２（ａ）は、係る構成の前面図、図２（ｂ）、図２（ｃ）、図２（ｄ）、図２（ｅ）は、係る構成の側方からの部分断面図であり、それぞれ、係る構成のバリエーションの違う構成の例である。
【００６２】
図２（ａ）は、四段に渡って、係る種々の構成の例を示している。
図２（ａ）は、外二シート２０２への開口可能形状部１８は、図１と略同一であり、上段の左から三つ目の第一収納領域４０１に設けられた外二シート２０２に設けられた、第二収納口３０２の穴又はスリット１６が開口状態の例である。
尚、下２段の区画については、それぞれ、方形に係止された係止部２０にて構成され、また、それぞれの区画を構成する係止部２０の辺は、上下左右に隣接する区画と係る辺を同一に共有する構成となっている。係る構成とすることによって、複重多目的収納ユニット１の強度が増し、特に、係る複重多目的収納ユニット１を培養土を入れて運搬するような袋や、吊設して使用する際に、２重の構成シート１０が、より、一体的になって重量を保持するので、強度が増し、有用である。
【００６３】
また、外一シート２０１に設けられたそれぞれの開口部について、第一収納口３０１が開口可能形状部１８で設けられた構成の例が、最上段の左から２と３番目と、上から２段目の左から１、２番目と、３段目の左と、４段目の左であり、開口状態の穴又はスリット１６で設けられているのが、上から２段目の右の２つ、３段目の右の２つと、４段目の右の２つである。また、最上段の一番左と右の構成は、第零収納口３００としても良いし、ナイフやハサミで開口しても良い。
また、図１の構成と比べてのメリットは、図１の構成においては、１つ１つの区画の第一収納領域４０１について、第零収納口３００を設ける為に小さい外一シート２０１を複数設ける必要があるが、図２の構成においては、大きな外一シート２０１を設けて、係止すればよく、製造コストが低くでき、有用である。
【００６４】
例えば、係止部や分割係止部や受け形状に係止の形状も、例えば、大きな２枚の構成シートを合わせて振動溶着などでまとめて溶着することも可能であるし、また、開口可能形状や収納口も、係る大きな構成シートに予め機械でそのパターンを加工しておけばよいので、製造上のコスト削減、生産効率の点でも、とても有用である。
【００６５】
分割係止部２１は、縦方向又は横方向の何れにおいても係止部２０を備えることで、一方向に配置されるポケットなどの代わりとなり、また縦方向に長い構成を採用した場合では、各収納中空領域において、複数の収納口を備えて、例えば、いくつかの長さの複数の収納物（Ｓ１・Ｓ２）を収納する為に横方向に係止して、収納口から収納された収納物（Ｓ１・Ｓ２）を下で支えて支持する係止部２０が必要である。また縦方向の分割は、小物や小さな植物など分割して保持させることが可能であり、係る仕切りを多数設けることによって収納数を増設する態様なども有用である。
本発明は、収納中空領域の貫通する開放部を有するため、保持されずに開放された底部に抜け落ちてしまうことがある。そのため、横方向のストッパーが必要であり、横方向全ての分割係止部２１を設けると植物を育てるための水の行き場が失ってしまうため、構成によっては、根腐れの原因ともなりかねない。そこで、小さな穴部１２１を設けて水抜き等をすることもできるようにすることも必要である。なお、図面上では波線を用いて比較的長く示しているが、係る長さは必要に応じて短くしたり或いは点状の分割係止部２１としてもよい。
【００６６】
また、受け形状に係止２９は、係止部２０を、例えば、略Ｕ字状に設けられたような構成であり、収納物を係る下辺の係止部２０と側辺の係止部２０で保持可能な係止部の形状のことをいい、係る係止部は、破線状でも、点線上でも点でも良い。
【００６７】
また、培養基材３４を入れて運搬可能な袋とした構成において、第二収納口３０２を開口状態で、第一収納口３０１を開口可能形状部１８など、開口可能な構成の培養基材３４の袋とすることができ、第二開口部は、第一収納領域４０１内の為、開けにくかったり、大きめの第二収納口３０２としたい場合に、有用である。
【００６８】
図２（ｂ）は、第一収納領域４０１と第二収納領域４０２を設けた構成において、外一シート２０１と外二シート２０２に開口可能形状部１８として、ミシン目を設けた構成である。係る構成によって、第二収納領域４０２に培養基材３４を収容した袋として運搬可能で、外一シート２０１と外二シート２０２に設けられた開口可能形状部１８を開口して、植物の根３６を第一収納領域４０１に収容して、根３６が、第二収納領域４０２に広がるっ様に植栽可能な袋となり、有用である。
【００６９】
図２（ｃ）は、図２（ａ）の構成において、開口した収納口である第一収納口３０１と第二収納口３０２を備えた構成であり、上側の第一収納領域４０１に設けられた第一収納口３０１と第二収納口３０２は、スリットタイプの収納口であり、上から２番目の第二収納領域４０２に設けられた第一収納口３０１と第二収納口３０２は、穴タイプの収納口である構成の例である。
【００７０】
図２（ｄ）は、図２（ａ）の構成において、第一収納領域４０１に特に開口可能形状部１８は備えず、ナイフやハサミで開口可能な構成によって、開口して使用される構成である。
係る構成によって、外一シート２０１と外二シート２０２の自由な位置、形状に収納口を設けることが可能であり、有用である。
【００７１】
その一方、図２（ｂ）と図２（ｃ）の構成と比較すると、開口に手間がかかり、特に、外二シート２０２に第二収納口３０２を設けるのは、第一収納領域４０１内に加工しないといけないので、より手間がかかるため、第二収納口３０２は、開口可能形状部１８または開口した構成としても、第二収納口３０２を開口する手間がかからず、且つ、運搬袋として運搬時等に、第一収納口３０１からの培養基材３４等のこぼれを防止可能であり有用ある。
【００７２】
図２（ｅ）は、図２（ａ）の構成において、外一シート２０１と外二シート２０２のみにて構成された複重多目的収納ユニット１の構成の例であり、図６に示される様に、長さの違う収納物（Ｓ１・Ｓ２）を、前面側の収納口である第一収納口３０１から挿入し、外二シート２０２に設けられた第二収納口３０２から、下方に挿通させることが可能な構成であり、長さの違う収納物（Ｓ１・Ｓ２）を収納可能な構成であり、有用である。
【００７３】
また、図２（ｂ）から図２（ｅ）の構成においては、いずれも、係る複重多目的収納ユニット１の前側、つまり、図面の左側に第一収納口３０１を設けた構成で、前側からのみ収納される構成であるが、
図３は、複重多目的収納ユニット１が、図１あるいは図２の説明にもあった、培養基材３４を入れて運搬され、側面から使用時に、側面から植栽可能な構成の例である。
【００７４】
図３（ａ）は、外一シート２０１と外二シート２０２が、４段で８区画の第一収納領域４０１を設ける様に係止されており、また、外二シート２０２の背面には、基台シート３０が設けられて、第二収納領域４０２が設けられ、係る第二収納領域４０２に培養基材３４が収容されて運搬、保管される構成となっている。
また、培養基材３４を収容、運搬されるにあたっては、第二収納領域４０２は全周を係止されることによって、培養基材３４がこぼれることなく運搬される構成となっている。
【００７５】
尚、本図においては、係る第一収納領域４０１に設ける収納口は、ビニール等をナイフ等で、外一シート２０１と外二シート２０２に開口可能な部材で構成されており、ミシン目等の開口可能形状部１８は特に設けていないが、開口可能形状部１８を第一収納領域４０１内あるいは直上部の外一シート２０１あるいは外二シート２０２に設けた構成としても良い。
【００７６】
図３（ｂ）は、図３（ａ）のそれぞれの区画の第一収納領域４０１に、第一収納口３０１と第二収納口３０２を設けた構成を示しており、図３（ｃ）は、係るそれぞれの区画に、植物を植栽した例を示しており、図３（ｄ）は、係る植栽された状態を、側面からの断面図にて示した例である。
係る構成に示される様に、植栽された植物は、第一収納領域４０１に、第一収納口３０１から挿入されて植栽され、第二収納口３０２から根３６を広げる様に、第二収納領域４０２の培養基材３４内に入っていく様子を示しているものである。
係る構成によって、植物は根３６を広げるスペースを十分に確保でき、根腐れ等の心配も少なく、培養基材３４を入れ替える手間もいらず、また、係る袋は小さく畳んで簡単に捨てられる為、ゴミの減量化にもなり、また、冬などの植物が枯れる時期などに、植物の植わっていない植木鉢が、見映え悪く玄関などに放置されることも無く、有用である。
【００７７】
また、収納中空領域１１内に、本図構成の第二収納領域４０２内に設けられているような水受け部を設けても良い。
【００７８】
また、図３（ａ）においては、全周が係止された構成であるが、図３（ｃ）のように植栽する段階で、下側の一部を開口して、水抜き穴１７を設けても良い。
【００７９】
また、構成シート１０または基台シート３０に、ポケット状の水受け部３５を設けることによって、収納中空領域１１内の水受け部で水を受けることと合わせて、一定量の培養基材３４も受けることができるので、上からの土の重量圧力が分散され、係る重量圧力低減に効果をもたらし、また、保水効果をもたせることによって、係る培養基材３４内の上部と下部での培養基材３４内での保水条件をより均一に近づけることが可能となり、植栽された植物の生育条件を、上部と下部で、より、均一化することが可能となり、植物の生育上も有用である。
また、特に、植栽される穴又はスリット１６の対面の基台シート３０または構成シート１０に係る水受け部が設けられることによって、植物の根３６が、遠いそちらの方へ伸びていこうとするので、根３６が長く伸び、植物の生育上も有用であり、また、係る根３６が、土を保持する為、下方の土への土の重量圧力低減効果もあり、有用である。
尚、係る水受け部は、ポケット状で水を受けるものであり、その素材は、可撓性シートでも良いし、土の重量も受ける為、プラスチックや木、金属等の板状でも良く、係る形状及び素材は、本発明の技術的思想の範囲内、即ち、同一の作用効果を発揮できる範囲内で変更することができるものである。
【００８０】
図４は、図３同様、第一収納領域４０１に植栽され、第二収納領域４０２の培養基材３４に、根３６を広げる構成である、側面から植栽可能な複重多目的収納ユニット１の構成の例である。
【００８１】
図４の構成の例は、４段の第一収納領域４０１の区画が、それぞれ、上下方向には分割されず、それぞれの段において、１つの段で一区画の第一収納領域４０１を構成する例である。
【００８２】
また、本図の様に、一番上の段は、係止されていない第零収納口３００としても良いし、係止して第一収納口３０１にて収納口を設ける構成としても良い。
また、それぞれの区画について、開口可能形状部１８を備えた構成となっている。
【００８３】
図４（ｂ）は、係る開口可能形状部を開口して、収納口として、係る多目的収納ユニットに植栽された構成の例である。
【００８４】
図５は、係る複重多目的収納ユニット１が、第三収納領域４０３、あるいは第四収納領域４０４と、更に多くの収納中空領域１１を備えた構成の例であり、また、係る複重多目的収納ユニット１に、長さの違う収納物（Ｓ１・Ｓ２）を収納した構成の例の側方からの断面図による説明図である。
【００８５】
図５（ａ）は、第一収納領域４０１と第二収納領域４０２を備えた構成の例であり、係る複重多目的収納ユニット１に、収納物（Ｓ１・Ｓ２）として、長さ、サイズの違う封筒が収納された例の断面図である。
係る第一収納領域４０１と、第二収納領域４０２には、それぞれ、段違いに係止部２０が設けられており、第一収納口３０１から挿入された短い封筒は、第一収納領域４０１に設けられた係止部２０に下部を保持されて収納され、同様に、第一収納口３０１から挿入された長い封筒は、更に第二収納口３０２を通過して、第二収納領域４０２に挿入され、係る第一収納領域４０１に設けられた係止部２０にて保持されて、収納されることによって、長さの違う収納物（Ｓ１・Ｓ２）を収納可能とする構成である。
尚、係る収納物（Ｓ１・Ｓ２）は封筒以外に、その他、長さの違う鉛筆やペンでも良いし、物差しでも、コンパスでも、ハサミでも、その他文具や工具や棒でも、板でも何でもよく、限定しない。
【００８６】
図５（ｂ）は、図５（ａ）の構成において、収納中空領域１１が、第一収納領域４０１と第二収納領域４０２と第三収納領域４０３が備えられた構成の断面図であり、更に多い種類の長さの収納物（Ｓ１・Ｓ２）を収納可能であり、 図５（ｃ）は、図５（ｂ）の構成において、収納中空領域１１が、第一収納領域４０１と第二収納領域４０２と第三収納領域４０３、第四収納領域４０４が備えられた構成の断面図であり、更に多い種類の長さの収納物（Ｓ１・Ｓ２）を収納可能である。
【００８７】
図５（ｄ）及び、図５（ｅ）及び図５（ｆ）は、第一収納領域４０１のみの構成であり、外二シート２０２あるいは基台シート３０に、開口部である第二収納口３０２を設けることにより、第一収納口３０１あるいは、第零収納口３００から挿入された収納物（Ｓ１・Ｓ２）が第一収納領域４０１から第二収納口３０２を挿通し、係る複重多目的収納ユニット１の外に配置された地面あるいは台５９にて、保持される構成を示している。
【００８８】
係る多重の構成によって、長さの違う物品を、１つの開口部から収納することが可能で、また、少ない開口部で、外観上もすっきりして、有用であり、また、大きなシートにまとめて開口可能形状や収納口のパターンを加工して、大きいままで、まとめて係止すればよく、生産効率も上がり、有用である。
【００８９】
また、係る構成シート１０は、外一シート２０１、外二シート２０２、外三シート２０３、外四シート２０４、あるいは、それ以上のシートについて、違う色の網や、半透明のシートとすることによって、正面から目視可能な係る構成シート１０の色で、どの収納中空領域１１に収納されているか、確認することが可能であり、有用である。
【００９０】
図６は、分割係止部２１の構成のバリエーションの例である。
図６（ａ）は、４段に分かれた区画を構成する分割係止部２１が、断続的な破線状である構成の例である。
係る構成は、収納中空領域１１の各区画を形成する係止部２０の底に埃が溜まり難くする構成として、有用である。
尚、図面には示していないが、縦方向の係止部も、同様に断続的な破線状に係止しても良い。
【００９１】
図６（ｂ）は、外一シートを係止する分割係止部が横方向のみの構成の例であり、４段に分かれた区画を構成する分割係止部２１のみで、外一シートが設けられている構成の例である。
係る構成によって、係る収納中空領域の側方から収納物を取り出すことも可能となり、万一、短い物品を係る収納中空領域に投入してしまった場合なども、側方部から取り出すこともでき、安心である。
また、図面には示していないが、係る収納中空領域の縦の真ん中に係止部を備えても、同様に、収納中空領域の側方部から収納物を取り出すことが可能な構成で、且つ、区画を分割して増やすことができ、有用である。
尚、、図面には示していないが、本図の構成においては、側方部の係止部は全開であるが、全開でなくとも、側方から手を入れて取り出し可能な程度の幅に開口しておくという構成でも良く、係る構成とすることによって、側方部の一部は係止されることとなるので、側方の開口部から収納物が落下も防止でき、且つ、側方から小さい収納物も取り出すことも可能であり、有用である。
【００９２】
図７は、図７（ａ）に示される構成シート１０の互いの両端を、図７（ｂ）のように、係止することによって互いに縦に一本まとめて係止し、側面のどこからでも植栽可能な構成となる。
【００９３】
係る図７（ｂ）構成においては、外一シート２０１と外二シート２０２で構成され、第零収納口３００あるいは第一収納口３０１と第二収納口３０２を備えた構成シート１０を、係る構成シート１０の両端を互いに係止氏、係る構成シート１０によって囲われた中空領域が、第二収納領域４０２となる構成であり、例えば、植栽する場合においては、係る第二収納領域４０２に培養基材３４を収容する、側面から植栽可能な植栽容器となる。
【００９４】
また、図７（ｃ）においては、かかる複重多目的収納ユニット１を、支持材１０２に係止して自立させた構成の例である。
本構成の例においては、係る支持材１０２は、係る複重多目的収納ユニット１の内側から支持する構成となっているが、複重多目的収納ユニット１の外側から支持する構成としても良く、係る複重多目的収納ユニット１を自立させる支持材１０２において、その形状、素材、係止方法は限定しない。
【００９５】
図８は、基台支持ユニット１０３に係る構成シート１０を係止して複重多目的収納ユニット１を構成する例である。
図８（ａ）は、基台支持ユニット１０３の構成の例であり、係る基台支持ユニット１０３は、１方向以上が開口している半容器状であり、係る構成シート１０を係る開口部に設けることによって、１つの複重多目的収納ユニット１とするものである。
図８（ａ）は、係る構成の例であり、方形の容器の前面と上面が開放である基台支持ユニット１０３の前面側の開口部の周囲に、構成シート１０を係止する為の支持留め部３１が設けられている構成である。
また、向かい側の面の内側には、水受け部３５が設けられている。
【００９６】
図８（ｂ）は、係る基台支持ユニット１０３の前面の開口部の支持留め部３１に、構成シート１０が紐状体で係止されており、係る構成によって、係る構成シート１０の背面部を、培養基材３４を収容可能な収納中空領域１１とし、係る構成シート１０の前面から、植栽可能となる構成の例である。
係る構成によって、より、がっちりとした安定感のある複重多目的収納ユニット１とすることができ、特に、背の高い複重多目的収納ユニット１としたい時などにおいて、強度を持たせた構成となり、有用である。
また、壁等に建造物として係る基台支持ユニット１０３を作りつけることによって、壁面の緑化や野菜等を植える菜園とすることもできる。
尚、係る支持留め部３１は、穴でも良いし、ホックでも、ファスナーでも、面ファスナーでも、ネジでも、構成シート１０を板等で挟み込む挟持部を設ける構成でも良く、また、紐や結束バンド、接着、融着でも良く、その他、本発明の技術的思想の範囲内、即ち、同一の作用効果を発揮できる範囲内で変更することができるものである。
【００９７】
図９は、本発明における複重多目的収納ユニット１が、開閉可能なカーテン９９または仕切りとなっている構成である。
図９（ａ）は、係る複重多目的収納ユニット１によって構成されるカーテン９９が、閉じた状態を示しており、係る複重多目的収納ユニット１は、上部に設けられた４つの留め部であるレール留め部９３を介して、カーテンレール９１にスライド移動可能に設けられており、また、係る複重多目的収納ユニット１は、回動、曲折可能に、略鉛直方向に、収納されない領域である回動可能部９０を備えることによって、係る収納されない領域において、回動、曲折可能にカーテンレール９１に吊設されて設けられることによって、係る複重多目的収納ユニット１は、スライド開閉可能な構成となっている。
【００９８】
図９（ｂ）においては、係るカーテンレール９１にスライド移動可能に止められた係る複重多目的収納ユニット１が、図９（ａ）の状態から、カーテンレール９１上をスライド開閉して半閉じ状態であることを示しており、略鉛直方向に、収納されない領域である回動可能部９０において曲折することによって、係る複重多目的収納ユニット１は、カーテン９９として、開閉可能である構成となっている。
図９（ｃ）は、係るカーテンレール９１をスライドして、曲折することによって開閉可能である構成において、複数の複重多目的収納ユニット１が、連結することによって、係る連結部である、回動連結部９２において回動、曲折することによって、開閉するカーテン９９となる構成の複重多目的収納ユニット１である。
尚、係る連結は、着脱可能に連結する構成としても良く、着脱可能に連結可能とすることによって、サイズを必要に応じて自由に変更可能なカーテン９９とすることが可能で、有用である。
また、係る複重多目的収納ユニットの一部または全部を、レース等のカーテン生地である構成としても良い。
【００９９】
また、基台支持ユニット１０３は、コンクリート、金属、樹脂、木、網、板材、陶器、ガラス等その他、材質、形状、態様は本発明と同一の作用効果を発揮できる範囲内で限定しない。
【０１００】
図１０は、係る複重多目的収納ユニット１が、ブラインド９８である構成の例であり、それぞれ、窓の前に吊設されたブラインド９８の構成の例であり、図１０（ａ）と図１０（ｂ）と図１０（ｃ）はそれぞれ、同じブラインド９８において、それぞれ開閉の状態違いの説明の説明図である。
尚、本図の構成の複重多目的収納ユニット１は、両面から収納可能な収納口を備えた構成の複重多目的収納ユニット１によって構成される例であり、図１０（ａ）は、係るブラインド９８が、右方向に閉じた状態を示しており、図１０（ｂ）は、左方向に閉じた状態を示しており、図１０（ｃ）は、左側にスライドして寄せられることによって、窓が開放に開いた状態を示した構成となっている。
【０１０１】
尚、一連の本図の実施例において、
構成シート１０または、基台シート３０の素材は、可とう性を有したシート状で、テント生地やメッシュ生地等の布状部材、他各種繊維素材、各種ゴムや各種樹脂シート製、綿、麻等の天然素材、紙製、金属メッシュ等金属、ガラス繊維、また、色も透明、蛍光、光っても良く、その他、必要に応じた強度、機能を有し、本発明と同一の作用効果を発揮できる範囲内でその素材を限定しない。
【０１０２】
また、基台シート３０は、発泡材、軟質材、マグネット板、マグネットシート、自己吸着シート、コルク、高摩擦部材、多穴部材、凹凸部材等によって、構成シート１０の背面で、挿入された収納物（Ｓ１・Ｓ２）を保持する上で、有用である。
また、有機ＥＬや無機ＥＬに代表される可撓性のある電子表示シートを一部または全部に用いることによって、光の活用や、収納物（Ｓ１・Ｓ２）を表示する構成にすれば、整理整頓にも好適である。
また、シート１０の形状も、多角形、丸、楕円、その他異形でも、長さ、大きさ違いの組み合わせ違いでもよく、その形状を限定せず、また、厚さも、本発明と同一の作用効果を発揮できる範囲内で限定しない。
【０１０３】
また、係止部２０あるいは支持留め部３１は、図面に表記していないものも、必要に応じて、必要な個所に設ける構成が可能であり、また、それぞれの係止方法は、接着、融着、縫製、結束、ピン止め、ボタン止め、面ファスナー止め、磁石、ステープラー等、本発明と同一の作用効果を発揮できる範囲内でその係止手段を限定しない。
【０１０４】
また、係止部２０、分割係止部２１、支持留め部３１は、着脱可能に係止してもよく、着脱可能な係止手段は、ホック、ボタン、面ファスナー、フック、磁石、紐、ファスナー等、本発明と同一の作用効果を発揮できる範囲内でその係止手段を限定しない。
着脱可能な構成とすることにより、必要に応じて構成シート１０のサイズや材質、収納中空領域の区画のサイズを選択可能となり、有用である。
【産業上の利用可能性】
【０１０５】
本願発明は、手軽に省スペースな収納スペースを設けることが可能であり、また、植物の装飾を自在に出来ることから、各種イベントや店舗の装飾をはじめ家庭用ガーデニング用品としても魅力的な発明品であり、産業上利用可能性は極めて高いと思慮されるものである。
【符号の説明】
【０１０６】
１        複重多目的収納ユニット
１０      構成シート
１１       収納中空領域
１６      穴又はスリット
１７      水抜き穴
１８      開口可能形状部
１９      収納受け型中空領域
２０       係止部
２１      分割係止部
２９      受け形状に係止
３０       基台シート
３４      培養基材
３５      水受け部
３６      根
３１      支持留め部
５９      地面あるいは台
９０       回動可能部
９１      レール
９２       回動連結部
９３      レール留め部
９８      ブラインド
９９      カーテン
１０２     支持材
１０３     基台支持ユニット
２０１    外一シート
２０２    外二シート
２０３    外三シート
２０４    外四シート
３００    第零収納口
３０１    第一収納口
３０２    第二収納口
３０３    第三収納口
３０４    第四収納口
４０１    第一収納領域
４０２    第二収納領域
４０３    第三収納領域
４０４    第四収納領域
Ｓ１      収納物（文具等小物雑貨）
Ｓ２       収納物（植物）
【図１】
2020061952.tif 000003
【図２】
2020061952.tif 000004
【図３】
2020061952.tif 000005
【図４】
2020061952.tif 000006
【図５】
2020061952.tif 000007
【図６】
2020061952.tif 000008
【図７】
2020061952.tif 000009
【図８】
2020061952.tif 000010
【図９】
2020061952.tif 000011
【図１０】
2020061952.tif 000012
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
可とう性を有する略シート状の素材から成る１以上の構成シート（１０）によって構成され、前記構成シート（１０）は、２重以上に重ねて係止部にて係止されて形成された中空領域である 収納中空領域（１１）を設け、
前記重ねられた構成シート（１０）の内、隣り合う２つの構成シート（１０）の間の収納中空領域内に、収納受け型中空領域（１９）を備え、
前記収納受け型中空領域（１９）は、収納物を保持可能な分割係止部（２１）を備えるか、または、受け形状に係止（２９）された収納中空領域（１１）であり、
前記収納受け型中空領域（１９）は収納口である第零収納口（３００）または第一収納口（３０１）を備えるかまたは、備えることが可能であり、
前記第零収納口（３００）は、前記収納受け型中空領域（１９）の一番外側の構成シート（１０）である外一シート（２０１）の係止されていない部分を備えた上辺が、前記収納中空領域（１１）である第一収納領域の外側への開口部であり、
前記第一収納口（３０１）は、一番外側の構成シート（１０）である外一シート（２０１）の前記収納中空領域（１１）内、または、前記収納受け型中空領域（１９）の範囲内または前記受け型中空領域の開口部の直上部に穴又はスリット（１６）を設けることによる、前記 収納中空領域（１１）の前記外一シート（２０１）の外側への開口部であり、
前記第零収納口（３００）または前記第一収納口（３０１）は収納物（Ｓ１・Ｓ２）を前記収納受け型中空領域（１９）に収納するための収納口として収納可能となり、外側から２番目の構成シート（１０）である外二シート（２０２）に穴又はスリット（１６）である、第二収納口（３０２）を設けられることによって、前記背面側の外二シート（２０２）に設けられた第二収納口（３０２）は前記第一収納領域の収納受け型中空領域（１９）から下方へ前記収納物（Ｓ１・Ｓ２）を通過させることで長さの異なる前記収納物（Ｓ１・Ｓ２）でも収納できるように 収納中空領域（１１）と収納位置を自由に調整することが可能であることを特徴とする複重多目的収納ユニット（１）。
【請求項２】
収納口が、開口可能形状部（１８）を開口することによって形成され、前記開口可能形状部（１８）にて、自由にスリットまたは穴を開口可能である開口可能形状部（１８）を備えたことを特徴とする請求項１に記載の複重多目的収納ユニット（１）。
【請求項３】
前記開口可能形状部（１８）が、カット可能なミシン目または薄肉状であることを特徴とする請求項２に記載の複重多目的収納ユニット（１）。
【請求項４】
前記第一収納口（３０１）あるいは第二収納口（３０２）が、開口状態で設けられていることを特徴とする請求項１に記載の複重多目的収納ユニット（１）。
【請求項５】
複数の前記構成シート（１０）の一方の端辺と他方の端辺を係止部にて係止することで収納中空領域を設けたことを特徴とする請求項１から請求項４のいずれかに記載の複重多目的収納ユニット（１）。
【請求項６】
前記複重多目的収納ユニット（１）が、支持留め部（３１）を介して基台支持ユニット（１０３）に設けられ、前記複重多目的収納ユニット（１）と基台支持ユニットとの間の中空領域が収納中空領域であることを特徴とする請求項１から請求項４のいずれかに記載の複重多目的収納ユニット（１）。
【請求項７】
前記係止部（２０）あるいは分割係止部（２１）あるいは支持留め部（３１）が、着脱可能に係止することにより、前記収納中空領域を設けることを特徴とする請求項６に記載の複重多目的収納ユニット（１）。
【請求項８】
前記構成シート（１０）から構成された前記複重多目的収納ユニット（１）が、背面の形状を覆う基台シート（３０）を備えたことを特徴とする請求項１から請求項４のいずれかに記載の複重多目的収納ユニット（１）。
【請求項９】
前記複重多目的収納ユニット（１）が、構成シート（１０）または基台シート（３０）で２重以上に重複して構成されていることを特徴とする請求項１から請求項８のいずれかに記載の複重多目的収納ユニット（１）。
【請求項１０】
前記複重多目的収納ユニット（１）が、複数の収納中空領域、つまり、第一収納領域（４０１）、第二収納領域（４０２）、第三収納領域（４０３）、あるいは、それ以上の 収納中空領域（１１）にて構成される前記複重多目的収納ユニット（１）において、２以上の 収納中空領域（１１）が、係止されて複数の区画を設けることによって、長さの違う収納物（Ｓ１・Ｓ２）を長さに合わせた１以上の 収納中空領域（１１）に挿通させて収納可能であることを特徴とする請求項１から請求項９のいずれかに記載の複重多目的収納ユニット（１）。
【請求項１１】
前記前面から多重に設けられた構成シート（１０）が、前面から、それぞれ違う色の半透明の構成シート（１０）または、網状であることによって、前面から、収納物（Ｓ１・Ｓ２）が収納されている 収納中空領域（１１）が目視可能であることを特徴とする請求項１０に記載の複重多目的収納ユニット（１）。
【請求項１２】
前記複重多目的収納ユニット（１）が、表側からも裏側からも収納可能な前記第零収納口（３００）または第一収納口（３０１）を備えていることを特徴とする請求項１から請求項１１のいずれかに記載の複重多目的収納ユニット（１）。
【請求項１３】
前記分割係止部（２１）に水抜きのための係止しない部分である水抜き穴（１７）を設けたことを特徴とする請求項１から請求項１２の何れかに記載の複重多目的収納ユニット（１）。
【請求項１４】
前記多目的収納ユニットは、前記収納物（Ｓ２）が植物であって、前記植物が前記第零収納口（３００）または前記第一収納口（３０１）から前記第一収納領域（４０１）に植栽され、第二収納口（３０２）を通過して前記第二収納領域（４０２）へと前記植物の根（３６）を挿入し、前記第二収納領域（４０２）に充填した植物培養基材（３４）内において前記植物が前記根（３６）を広げることを可能とした植栽容器であることを特徴とする請求項１０から請求項１３のいずれかに記載の複重多目的収納ユニット（１）。
【請求項１５】
前記複重多目的収納ユニット（１）が、開閉可能なカーテン（９９）またはブラインド（９８）または目隠しであることを特徴とする請求項１から請求項１４のいずれかに記載の複重多目的収納ユニット（１）。
【請求項１６】
前記複重多目的収納ユニット（１）が、回動可能に連結される回動連結部（９２）を備え、前記回動連結部（９２）にて回動、曲折されることによって、スライドして開閉可能なカーテン（９９）または目隠しであることを特徴とする請求項１から請求項１５のいずれかに記載の複重多目的収納ユニット（１）。
【手続補正２】
【補正対象書類名】明細書
【補正対象項目名】００９３
【補正方法】変更
【補正の内容】
【００９３】
係る図７（ｂ）構成においては、外一シート２０１と外二シート２０２で構成され、第零収納口３００あるいは第一収納口３０１と第二収納口３０２を備えた構成シート１０を、係る構成シート１０の両端を互いに係止し、係る構成シート１０によって囲われた中空領域が、第二収納領域４０２となる構成であり、例えば、植栽する場合においては、係る第二収納領域４０２に培養基材３４を収容する、側面から植栽可能な植栽容器となる。